(57)【要約】【課題】床部と縦壁部を有するＬ形のＬ形ペット用トイレに関し、製造コストを低減できるＬ形ペット用トイレを提供する。【解決手段】本発明に係るＬ形ペット用トイレ１は、シーツ５が敷設されるシーツ敷設部１５を有する一対のトレー本体７と、シーツ敷設部１５に敷設されたシーツ５を固定する枠部材９を有し、各トレー本体７は、回動可能に連結されて、一方を床部側とし、他方を縦壁部とするＬ形に設置可能になっているＬ形ペット用トイレ１であって、一対のトレー本体７における各トレー本体７は、同形状の成形品からなり、回動可能に連結するヒンジ部１３と、ヒンジ部１３が設けられた各辺部に形成されると共に互いに当接して互いの成す角度を規制する角度規制当接面２１ａと、各辺部に設けられて、互いに対向配置されることでシーツ５を挟持する同形状のシーツ挟持面２５ａとを備えてなることを特徴とするものである。【選択図】  図１
2014150773.tif 000002
【特許請求の範囲】
【請求項１】
シーツが敷設されるシーツ敷設部を有する一対のトレー本体と、前記シーツ敷設部に敷設されたシーツを固定するシーツ固定部を有し、各トレー本体は、回動可能に連結されて、一方を床部側とし、他方を縦壁部とするＬ形に設置可能なＬ形ペット用トイレであって、
前記一対のトレー本体における各トレー本体は、同形状の成形品からなり、
各トレー本体は、
回動可能に連結するヒンジ部と、
該ヒンジ部が設けられた辺部に形成されると共に互いに当接して互いの成す角度を規制する角度規制当接面と、
前記辺部に設けられて、互いに対向配置されることで前記シーツを挟持する同形状のシーツ挟持部とを備えてなることを特徴とするＬ形ペット用トイレ。
【請求項２】
前記シーツ固定部は、前記ヒンジ部が設けられた辺部を除く前記トレー本体の周縁部に
形成された立設部と、該立設部を覆うように該立設部に着脱可能に取り付けられて、前記シーツ敷設部に敷設された前記シーツにおける周縁部を前記トレー本体と共に挟持して前記シーツを固定する枠部材とを備えてなることを特徴とする請求項１記載のＬ形ペット用トイレ。
【請求項３】
前記シーツ敷設部に被せるように設置されるメッシュ部材を有し、該メッシュ部材が前記各トレー本体における少なくとも一方の枠部材に着脱可能に取り付けられていることを特徴とする請求項２に記載のＬ形ペット用トイレ。
【請求項４】
前記枠部材は前記立設部を覆う辺部以外の辺部が開放された開放辺となっており、前記メッシュ部材が該開放辺側にスライドするのを防止するスライド防止片を有することを特徴とする請求項３記載のＬ形ペット用トイレ。
【請求項５】
メッシュ部材は、その周縁部に、下面側に垂下する垂下片を有し、
枠部材は、前記メッシュ部材の周縁部が載置される載置部と、該載置部に載置された前記メッシュ部材の前記垂下片に係合する垂下片係合部と、前記載置部に載置された前記メッシュ部材の周縁部の上面側に配置されて前記メッシュ部材が上方に外れるのを防止するメッシュ部材外れ防止片とを有することを特徴とする請求項３又は４に記載のＬ形ペット用トイレ。
【請求項６】
前記シーツ挟持部は、傾斜面からなり、該傾斜面に互いに対向配置される凸部と凹部を有し、各トレー本体をＬ形にしたときに前記傾斜面同士には所定の隙間が形成されると共に前記凸部と凹部は当接又は近接するように構成されていることを特徴とする請求項１乃至５のいずれか一項に記載のＬ形ペット用トイレ。
【請求項７】
前記ヒンジ部は、該ヒンジ部が設けられた辺部の一方の端部に設けられて軸挿通穴を有する凸片部と、前記辺部の他方の端部に設けられて軸挿通穴を有すると共に前記凸片部が挿入可能な隙間を介して対向するように配置された一対の凸片部によって構成されていることを特徴とする請求項１乃至６のいずれか一項に記載のＬ形ペット用トイレ。
【発明の詳細な説明】
【技術分野】
【０００１】
本発明は、尿吸収性のシーツを敷設してペットの排泄に用いるペット用トイレに関し、特に床部と縦壁部を有するＬ形ペット用トイレに関する。
なお、尿吸収性のシーツは、その周縁部に吸湿部のない薄い部分があり、その内側に吸湿部が設けられているのが一般的であるが、上記薄い部分の幅は製品によって区々であり、本明細書において「シーツの周縁部」という場合、上記薄い部分に限定する趣旨ではなく、文字通りシーツの周縁部を指しており、上記薄い部分のみの場合や、薄い部分と吸湿部の両方を含む場合がある。
【背景技術】
【０００２】
ペット用のトイレとしては、平板状のトイレ本体に尿吸収性のシーツを敷設して使用するものが一般的である。
しかしながら、平板状のトイレ本体の場合、特に雄犬が片足を上げて排尿する際に、トイレ本体の縁から尿が外部に飛び散る可能性がある。
そこで、このような尿の外部への飛び散りを防止するものとして、トイレ本体を、床部と縦壁部とで構成し、床部に対して縦壁部を略９０度になるように立設して全体形状をＬ形にしたものがある。このような、Ｌ形ペット用トイレの例としては、特許文献１に「折り畳み式ペットトレー」として開示されている。
【０００３】
特許文献１に開示された「折り畳み式ペットトレー」は、トイレ本体を、床部と、縦壁部の２つの部材から構成し、床部と縦壁部との連結部において、両者を回動可能に連結している。そして、連結部において、床部側の一辺に凹溝状の固定用凹部を、縦壁部側の一辺に凸条の固定用凸部をそれぞれ形成し、これらによってシーツを押圧することで、連結部から尿の漏れ出しを防止している。
【先行技術文献】
【特許文献】
【０００４】
【特許文献１】実用新案登録第３０７８８０７
【発明の概要】
【発明が解決しようとする課題】
【０００５】
特許文献１に開示された「折り畳み式ペットトレー」は、トイレ本体を構成する床部と、縦壁部との形状が異なっているため、成形品として製造する場合には、異なる２つの金型が必要となり、製造コストが高くなるという問題がある。
また、連結部において、凸条の固定用凸部と、凹溝状の固定用凹部によってシーツを挟持するようにしているが、シーツの厚みは種々あるため、このような構造の場合、特定の厚みのシーツであれば固定することができるが、厚みの薄いものでは固定力が弱くなり、ペットが引っ掻いたときにずれやすく、尿の漏れ出しの原因となる。逆に、厚みが厚いシーツでは縦壁部を垂直にするために回動したときに、シーツが固定用凸部に当たり、回動の邪魔になって、縦壁部を所定角度まで回動ができなくなるという問題がある。
つまり、特許文献１の連結部におけるシーツ固定構造では、一対のトイレ本体の回動を円滑にし、かつシーツの固定と尿の漏れ出し防止の両方を確実にできる構造とは言い難い。
【０００６】
本発明は、かかる課題を解決するためになされたものであり、一つの目的として、床部と縦壁部を有するＬ形のＬ形ペット用トイレに関し、製造コストを低減できるＬ形ペット用トイレを提供することを目的とするものである。
また、他の目的として、一対のトイレ本体の回動を円滑にし、かつ連結部におけるシーツの固定と尿の漏れ出し防止の両方を確実にできるＬ形ペット用トイレを提供することを目的とするものである。
【課題を解決するための手段】
【０００７】
（１）本発明に係るＬ形ペット用トイレは、シーツが敷設されるシーツ敷設部を有する一対のトレー本体と、前記シーツ敷設部に敷設されたシーツを固定するシーツ固定部を有し、各トレー本体は、回動可能に連結されて、一方を床部側とし、他方を縦壁部とするＬ形に設置可能なＬ形ペット用トイレであって、
前記一対のトレー本体における各トレー本体は、同形状の成形品からなり、
各トレー本体は、
回動可能に連結するヒンジ部と、
該ヒンジ部が設けられた辺部に形成されると共に互いに当接して互いの成す角度を規制する角度規制当接面と、
前記辺部に設けられて、互いに対向配置されることで前記シーツを挟持する同形状のシーツ挟持部とを備えてなることを特徴とするものである。
【０００８】
（２）また、上記（１）に記載のものにおいて、前記シーツ固定部は、前記ヒンジ部が設けられた辺部を除く前記トレー本体の周縁部に形成された立設部と、該立設部を覆うように該立設部に着脱可能に取り付けられて、前記シーツ敷設部に敷設された前記シーツにおける周縁部を前記トレー本体と共に挟持して前記シーツを固定する枠部材とを備えてなることを特徴とするものである。
【０００９】
（３）また、上記（２）に記載のものにおいて、前記シーツ敷設部に被せるように設置されるメッシュ部材を有し、該メッシュ部材が前記各トレー本体における少なくとも一方の枠部材に着脱可能に取り付けられていることを特徴とするものである。
【００１０】
（４）また、上記（３）に記載のものにおいて、前記枠部材は前記立設部を覆う辺部以外の辺部が開放された開放辺となっており、前記メッシュ部材が該開放辺側にスライドするのを防止するスライド防止片を有することを特徴とするものである。
【００１１】
（５）また、上記（３）又は（４）に記載のものにおいて、メッシュ部材は、その周縁部に、下面側に垂下する垂下片を有し、
枠部材は、前記メッシュ部材の周縁部が載置される載置部と、該載置部に載置された前記メッシュ部材の前記垂下片に係合する垂下片係合部と、前記載置部に載置された前記メッシュ部材の周縁部の上面側に配置されて前記メッシュ部材が上方に外れるのを防止するメッシュ部材外れ防止片とを有することを特徴とするものである。
【００１２】
（６）また、上記（１）乃至（５）のいずれかに記載のものにおいて、前記シーツ挟持部は、傾斜面からなり、該傾斜面に互いに対向配置される凸部と凹部を有し、各トレー本体をＬ形にしたときに前記傾斜面同士には所定の隙間が形成されると共に前記凸部と凹部は当接又は近接するように構成されていることを特徴とするものである。
【００１３】
（７）また、上記（１）乃至（６）のいずれかに記載のものにおいて、前記ヒンジ部は、該ヒンジ部が設けられた辺部の一方の端部に設けられて軸挿通穴を有する凸片部と、前記辺部の他方の端部に設けられて軸挿通穴を有すると共に前記凸片部が挿入可能な隙間を介して対向するように配置された一対の凸片部によって構成されていることを特徴とするものである。
【発明の効果】
【００１４】
本発明においては、一対のトレー本体における各トレー本体を同形状の成形品から構成すると共に、各トレー本体は、ヒンジ部と、該ヒンジ部が設けられた各辺部に形成されると共に互いに当接して互いの成す角度を規制する角度規制当接面と、前記各辺部に設けられて、互いに対向配置されることで前記シーツの周縁部を挟持する同形状のシーツ挟持部とを備えてなり、Ｌ形ペット用トイレであって、各トイレ本体に敷設したシーツを各トレー本体の連結部で挟持できる機能を有するものでありながら、各トレー本体を１種類の金型で成形することができ、コストを低減することができる。
【図面の簡単な説明】
【００１５】
【図１】本発明の実施の形態に係るＬ形ペット用トイレの斜視図である。
【図２】本発明の実施の形態に係るＬ形ペット用トイレの平面図である。
【図３】本発明の実施の形態に係るＬ形ペット用トイレの正面図である。
【図４】本発明の実施の形態に係るＬ形ペット用トイレの右側面図である。
【図５】本発明の実施の形態に係るＬ形ペット用トイレを下方から見上げた状態を図示したものであり、Ｌ形ペット用トイレの動作を説明する説明図である。
【図６】本発明の実施の形態に係るＬ形ペット用トイレを折り畳んだ状態を図示したものである。
【図７】本発明の実施の形態に係るＬ形ペット用トイレの分解斜視図である。
【図８】本発明の実施の形態に係るＬ形ペット用トイレに枠部材が設置された状態のトレー本体の斜視図である。
【図９】図３におけるＡ−Ａ矢視断面図である。
【図１０】図３におけるＢ−Ｂ矢視断面図である。
【図１１】メッシュ部材が設置された状態の枠部材を、図７における太矢印の方向から見上げた場合を図示したものである。
【図１２】図２におけるＣ−Ｃ矢視断面図である。
【図１３】図２におけるＤ−Ｄ矢視断面図である。
【発明を実施するための形態】
【００１６】
本発明の一実施の形態に係るＬ形ペット用トイレ１は、図１、図２および図７に示すように、尿吸収性のシーツ５（図１０参照）が敷設されるシーツ敷設部１５と、シーツ敷設部１５の周囲３辺を囲むようなコ字状に形成された立設部１９（図７参照）を有する一対のトレー本体７と、立設部１９を覆うように各トレー本体７に着脱可能に取り付けられて、トレー本体７に敷設されたシーツ５の周縁部をトレー本体７と共に挟持してシーツ５を固定するコ字状の枠部材９と、枠部材９の枠内にシーツ５の吸湿部に被せるように設置されたメッシュ部材１１とを有している。なお、図１においては、図が煩雑にならないように、メッシュ部材１１のメッシュ１１ａの一部のみを図示している。
【００１７】
各トレー本体７は同一の形状であり、１種類の金型によって成形可能である。各トレー本体７は、各トレー本体７に設けられたヒンジ部１３によって回動可能に連結されている。より詳細には、トレー本体７は、ヒンジ部１３の軸１３ａを中心にトレー本体７同士のなす角度が０度〜略９０度の間で回動可能になっている（図５中の太矢印参照）。
【００１８】
上記のように構成されるＬ形ペット用トイレ１の各部構成について主に図７〜図１３に基づいて、また他の図を適宜参照しながら以下に詳細に説明する。
【００１９】
＜トレー本体＞
トレー本体７は、図８に示すように、平面視において略長方形状からなる。
トレー本体７の上面には、矩形状の低台からなりシーツ５を設置するシーツ敷設部１５が設けられている。シーツ敷設部１５は、トレー本体７の周縁部（立設部１９、連結辺部２１）の内側に前記周縁部から隙間を介して設けられ、この隙間には平坦部１６が形成されている。
シーツ敷設部１５の周囲には、枠部材９と協働してシーツ５をトレー本体７側に固定するための先端が円錐状の突起からなる固定突起部１７が所定間隔で複数設けられている（図７、図１３参照）。
【００２０】
トレー本体７の縁部には、シーツ敷設部１５の周囲３辺を囲むように立設する平面視でコ字状の立設部１９が設けられている。
立設部１９は尿等が外側に流れ出さないようにする機能を有する。なお、立設部１９は、必ずしも立設部１９全体にわたって、均一の高さにする必要はなく、部分的に凹部等が存在してもよい。
【００２１】
トレー本体７の立設部１９が設けられていない辺部は、他のトレー本体７と連結する連結辺部２１になっている。
連結辺部２１にはシーツ敷設部１５に対して４５度に傾斜する角度規制当接面２１ａが形成されている（図８参照）。それ故に、各トレー本体７の角度規制当接面２１ａが当接したときにはトレー本体７同士のなす角度が略９０度になるように、連結された各トレー本体７の成す角度が規制される。
【００２２】
連結辺部２１の幅方向の両端部は、立設部１９の高さと同程度の高さになっており、この両端部にヒンジ部１３が形成されている。ヒンジ部１３は倒立Ｕ字状に形成された軸受部１３ｂを有している。軸受部１３ｂは、本発明の軸挿通穴を有する凸片に相当する。軸受部１３ｂは、図８中左側の端部に所定間隔を離して一対が形成され、反対側の端部に１箇形成されている。
各軸受部１３ｂは、図７に示すように、一方のトレー本体７の一対の軸受部１３ｂの間に、他方のトレー本体７の片側１箇の軸受部１３ｂが挿入されて、各軸受部１３ｂの穴が連通するようになっている。この状態で、軸受部１３ｂの穴に軸１３ａを挿通することで、図９に示すようにトレー本体７同士が連結される。
各トレー本体７は、このような構造のヒンジ部１３を有しているが故に同一形状でありながら回動可能に連結することができる。
【００２３】
各トレー本体７における連結辺部２１の下辺部には、図８に示すように、コ字状のリブで形成された姿勢ロックばね取付部２１ｂが所定間隔離して一対設けられている。また、姿勢ロックばね取付部２１ｂに隣接して、切欠き部２１ｃが形成されている。
姿勢ロックばね２３は、図１０に示すように、帯状の金属板を略Ｌ字状に屈曲させてなり、一端に略Ｕ字状に折り返した折り返し部２３ａを有している。姿勢ロックばね２３の他端部には、ねじ孔２３ｂが設けられており、このねじ孔２３ｂによって姿勢ロックばね２３は姿勢ロックばね取付部２１ｂにねじ止めされている。
各トレー本体７を、連結辺部２１で連結したときに、一方のトレー本体７に形成した姿勢ロックばね取付部２１ｂと、他方のトレー本体７に形成した切欠き部２１ｃとが連結辺部２１を挟んで対応する位置に配置される。
そのため、連結されたトレー本体７同士のなす角度を略９０度にしたとき、図１０に示すように、姿勢ロックばね２３の折り返し部２３ａが、他方のトレー本体７の切欠き部２１ｃの上方の部分を押圧し、トレー本体７同士の成す角度が略９０度になった姿勢を維持（ロック）できるようになっている。
【００２４】
また、連結辺部２１には、トレー本体７の縁部に沿うように長台からなるシーツ挟持台２５が設けられている。そして、シーツ挟持台２５には角度規制当接面２１ａと平行な面からなるシーツ挟持面２５ａが形成されており、シーツ挟持面２５ａには、円錐状の凸部２５ｂと、この凸部２５ｂの先端部が挿入可能な凹部２５ｃとが、所定の間隔で交互に設けられている。
トレー本体７同士のなす角度を略９０度にすると、シーツ挟持面２５ａは互いに対向配置され、一方のトレー本体７のシーツ挟持面２５ａに形成した凸部２５ｂの先端部が他方のトレー本体７のシーツ挟持面２５ａに形成した凹部２５ｃに挿入される。
このとき、シーツ挟持面２５ａ同士の間には、１．５ｍｍ〜２．２ｍｍ程度の隙間（シーツにおける吸湿部を２枚重ねた程度の隙間）が形成され、凸部２５ｂの先端は凹部２５ｃの底部に当接又は近接するようになっている（図８、図１０参照）。なお、図１０には、この点を説明するため、点線の丸で囲んだ部位を、凸部２５ｂ及び凹部２５ｃの中心で断面にした状態を拡大して示している。
【００２５】
吸湿部がシーツ挟持面２５ａに位置するよう床部側と縦壁部側にシーツ５を敷設して、トレー本体７同士のなす角度を略９０度にすると、シーツ５の吸湿部は凸部２５ｂと凹部２５ｃで固定される。凸部２５ｂと凹部２５ｃの隙間はほとんどないが、凸部２５ｂと凹部２５ｃが設けられているのは複数点であり、他の部位では所定の隙間が形成されているので、トレー本体７同士が回動する障害にはならずに、シーツ５を固定できる。
そして、シーツ５の吸湿部が尿を吸い込むことで、吸湿部が膨張して、シーツ挟持面２５ａ同士の隙間を塞ぎ、尿の外部への漏れ出しを防止する。
【００２６】
つまり、シーツ挟持台２５を上記のように構成することで、トレー本体７同士のなす角度を略９０度に回動することの障害にはならず、かつペットの引っ掻きによってずれることはなくシーツ５を固定できると共に尿の漏れ出しを確実に防止できる。
【００２７】
＜メッシュ部材＞
メッシュ部材１１は、図１、図２、図７および図１１に示すように、枠状の周縁部の内側にメッシュ１１ａが形成されてなる。なお、図１、図７および図１１においては、図が煩雑にならないように、メッシュ１１ａの一部のみ図示している。
メッシュ部材１１は、トレー本体７のシーツ敷設部１５を覆うように枠部材９に着脱可能に取り付けられる。
【００２８】
メッシュ部材１１は、ペットが排泄した尿をスムーズに通過させて、その下に固定したシーツ５に吸収させるともに、シーツ５が掻きむしられるのを防止するのが目的であり、そのため、メッシュ１１ａの形状は図２等に示すように格子状でなくてもよく、丸穴形状、ひし形形状等にしてもよい。
【００２９】
メッシュ部材１１は、通常、床部として使用されるトレー本体７にのみ設置されるが、縦壁部として使用されるトレー本体７にも設置してもよい。また、縦壁部として使用されるトレー本体７にのみ設置してもよいし、いずれにも設置しなくてもよい。このように、メッシュ部材１１は、必要に応じて適宜設置可能である。
【００３０】
メッシュ部材１１の周縁部には、周縁部から垂下する垂下片２７が複数設けられ（図１１、図１２参照）、各垂下片２７の先端には、後述する枠部材９の垂下片係合部３５と係合する爪部２７ａが設けられている（図１２参照）。
さらに、メッシュ部材１１の周縁部における裏面側には、メッシュ部材１１の強度を向上させるためのリブ１１ｂが複数設けられている。
【００３１】
＜枠部材＞
枠部材９は、図７に示す通り、トレー本体７の立設部１９の形状に対応して略コ字状になっており、立設部１９を上方から覆うようにして装着される。
枠部材９の内周縁には、メッシュ部材１１の周縁部が設置される載置部３１が前記内周縁に沿うように設けられており、さらに載置部３１の内周縁端部には、下方に延出するように垂下する垂下部３３が形成されている。
【００３２】
垂下部３３には、矩形状の切欠きからなる垂下片係合部３５が設けられており、メッシュ部材１１を枠部材９に設置した際に、メッシュ部材１１の垂下片２７と係合するようになっている。
メッシュ部材１１を枠部材３３に設置するには、まず、メッシュ部材１１の垂下片２７を枠部材９の載置部３１に位置させて、枠部材９側に押し付ける。そうすると、メッシュ部材１１の垂下片２７が撓むことで、垂下片２７の爪部２７ａが垂下片係合部３５と係合する。
メッシュ部材１１の垂下片２７と垂下片係合部３５の係合状態を図１１中の拡大図（ａ）および図１２に示す。
【００３３】
載置部３１の上面には、図７に示すように、小片からなるメッシュ部材スライド防止片３７が立設されている。メッシュ部材スライド防止片３７は、図１１中の拡大図（ｂ）に示すように、メッシュ部材１１のリブ１１ｂに枠部材９の開放辺側から当接して、メッシュ部材１１が開放辺側にスライドして脱落することを防止している。
【００３４】
載置部３１の裏面側には、図１１に示すように、トレー本体７の固定突起部１７に対応する位置に、固定突起部１７の先端が挿入される円筒状の固定円筒部３９が設けられている（図１１中の拡大図（ｃ）参照）。固定円筒部３９に固定突起部１７の先端が挿入されている状態を図１３に示す。固定突起部１７の先端が挿入されることにより、固定突起部１７と固定円筒部３９とによってシーツ５を挟持するようになっている。
【００３５】
枠部材９の開放辺側の内周側には、図１中の拡大図および図２に示すように、内方に向けて突出する小片からなるメッシュ部材外れ防止片４１が設けられている。
メッシュ部材外れ防止片４１は、メッシュ部材１１の設置時にメッシュ部材１１の上面に近接配置される（図１０参照）。
【００３６】
メッシュ部材外れ防止片４１の作用効果について以下に説明する。
メッシュ部材１１は、枠部材９に取り付けられた状態では、垂下片係合部３５と垂下片２７とが係合しているため、多少のことでは外れることはない。しかし、枠部材９はコ字状であるため、矩形状に形成した場合と比較的すると開放辺側が撓みやすくなっている。そのため、枠部材９は、トレー本体７から取り外す場合等に撓みが生じて、垂下片係合部３５と垂下片２７の係合が外れてしまうことがある。
メッシュ部材外れ防止片４１は、このような場合にメッシュ部材１１の周縁部上面と当接することで、メッシュ部材１１が上方に外れることを防止する。
【００３７】
なお、メッシュ部材１１を載置部３１に載置するには、メッシュ部材１１の辺部を、載置部３１とメッシュ部材外れ防止片４１の間に挿入してからメッシュ部材１１全体を載置するようにする。このためメッシュ部材外れ防止片４１は、図１０に示すように、枠部材９の反開放辺側の先端部が上方に反った形状をしており、メッシュ部材１１の辺部を挿入しやすくなっている。
【００３８】
以上のように構成された本実施の形態に係るＬ形ペット用トイレ１の使用方法の一例を説明する。
各トレー本体７から枠部材９、メッシュ部材１１を外した状態で、一対のトレー本体７を連結状態のまま片方のトレー本体７を床面に載置する。
そして、床面に載置したトレー本体７側のシーツ敷設部１５を覆うようにシーツ５を敷設する。このとき、縦壁部側のトレー本体を少し倒すことにより、対向するシーツ挟持面２５ａ同士の隙間を広げ、この隙間にシーツ５の一辺を挿入する。このとき、シーツ５における吸湿部がシール挟持面２５ａを覆うようにするのが好ましい。
【００３９】
次に、縦壁部側のトレー本体７を略９０度にして、床部側のトレー本体７の立設部１９に枠部材９を設置する。枠部材９を設置すると、トレー本体７の固定突起部１７の先端が、枠部材９の固定円筒部３９に挿入され、シーツ５が両者によって挟持されて固定される。
【００４０】
次に、シーツ５を敷設したトレー本体７が縦壁部側に、シーツ５を敷設していないトレー本体７が床部側になるようにＬ形ペット用トイレ１を置き直し、上記と同様に、シーツ５の敷設と枠部材９の設置を行う。
このようにして、床部側と縦壁部側の両方のトレー本体７にシーツ５を敷設した状態では、対向するシーツ挟持面２５ａ同士の間に、２枚のシーツ５が重なった状態で配置される。この場合であっても、上述したように、対向するシーツ挟持面２５ａ同士の間には、図１０に示したように、１．５ｍｍ〜２．２ｍｍの隙間があるので、２枚のシーツ５を挿入することが可能であり、かつトレー本体７の回動に支障が出ることもない。その一方で、シーツ挟持面２５ａに設けられた凸部２５ｂと凹部２５ｃによってシーツ５が挟み込まれて保持されるので、シーツ５がペットのいたずらによってずれることがない。
【００４１】
次に、必要に応じてメッシュ部材１１を設置する。本例では、床部として使用するトレー本体７にのみメッシュ部材１１を設置する場合について説明する。
まず、メッシュ部材１１の辺部を、メッシュ部材外れ防止片４１の下に潜らせるように挿入して、メッシュ部材１１を枠部材９の載置部３１に載置する。このとき、前述したように、メッシュ部材外れ防止片４１のメッシュ部材１１が挿入される側（枠部材９の反開放辺側）の先端部が上方に反った形状になっているため、メッシュ部材１１の辺部を挿入しやすくなっている。
【００４２】
次に、メッシュ部材１１全体を載置部３１に押し付ける。こうすることによって、メッシュ部材１１の垂下片２７の爪部２７ａと枠部材９の垂下片係合部３５とが係合されて、メッシュ部材１１が枠部材９に設置される。
メッシュ部材１１が設置されることで、シーツ５の吸湿部が覆われて、シーツ５をペットのいたずらから保護することができる。また、例えばペットの爪などがメッシュ１１ａに引っ掛かってメッシュ部材１１に外力が作用しても、メッシュ部材１１は枠部材９と係合しているため外れないようになっている。
【００４３】
使用時において、ペットがトレー本体７の縦壁部側に向けて尿をすると、各トレー本体７の連結辺部２１の近傍にも尿が飛び散り、シーツ５によって吸収される。このとき、上述したとおり、シーツ挟持面２５ａはシーツ５の吸湿部が配置され、尿が吸収されることで当該部位のシーツ５が膨張し、連結辺部２１の隙間を塞ぎ、連結辺部２１から尿が漏れ出すのを確実に防止できる。
【００４４】
次に、シーツ５の交換の手順について以下に説明する。
シーツ５を交換するには、まず、枠部材９を取り外すが、枠部材９にメッシュ部材１１が設置してある場合には、メッシュ部材１１ごと枠部材９を取り外す。
このとき、枠部材９が撓んでもメッシュ部材外れ防止片４１がメッシュ部材１１の上面と当接するため、メッシュ部材１１が上方に外れるのが防止される。また、メッシュ部材スライド防止片３７がメッシュ部材１１のリブ１１ｂに当接しているので、メッシュ部材１１が、枠部材９の開放辺側にスライドして外れることもない。
このように、枠部材９をトレー本体７から取り外す際に、メッシュ部材１１が枠部材９から外れることがないので、尿が付いたメッシュ部材が不意に床面に落下して床面を汚損することがない。
【００４５】
枠部材９を取り外したら、次に、縦壁部側のトレー本体７の上辺部を下方に向けて押し下げるように回動させ、トレー本体７同士のなす角度を狭める。これによって、姿勢ロックばね２３のロックを解除して、対向するシーツ挟持面２５ａ同士の隙間を広げることで、シーツ挟持面２５ａからシーツ５が取り外せる状態にする。この状態で、シーツ５を取り外して、上述した手順によって新しいシーツ５を敷設する。
【００４６】
以上のように、本実施の形態のＬ形ペット用トイレ１においては、対向配置されたシーツ挟持台２５によってシーツ５が挟持されるので、シーツ５を敷設した状態でも各トレー本体７が支障なく回動できると共にシーツをしっかりと固定でき、かつ使用時に尿が連結辺部２１から漏れ出すこともない。このように、本実施の形態のものは、一対のトイレ本体７の回動を円滑にし、かつ床部と縦壁部の連結辺部２１におけるシーツ５の固定と尿の漏れ出しを確実に防止できる。
また、本実施の形態では、メッシュ部材外れ防止片４１とメッシュ部材スライド防止片３７を設けたことにより、メッシュ部材１１を枠部材９に設置した場合でも、シーツ交換時にメッシュ部材１１が枠部材から容易に外れることがないので、尿のついたメッシュ部材１１の不意の落下で床面を汚損することがない。
また、上記のような優れた作用効果を有する各トレー本体７であるが、これが同一の形状であるため１種類の金型で成形可能であり、それ故、金型コストを抑えることができる。
【符号の説明】
【００４７】
１  Ｌ形ペット用トイレ
５  シーツ
７  トレー本体
９  枠部材
１１  メッシュ部材
１１ａ  メッシュ
１１ｂ  リブ
１３  ヒンジ部
１３ａ  軸
１３ｂ  軸受部
１５  シーツ敷設部
１６  平坦部
１７  固定突起部
１９  立設部
２１  連結辺部
２１ａ  角度規制当接面
２１ｂ  姿勢ロックばね取付部
２１ｃ  切欠き部
２３  姿勢ロックばね
２３ａ  折り返し部
２３ｂ  ねじ孔
２５  シーツ挟持台
２５ａ  シーツ挟持面
２５ｂ  凸部
２５ｃ  凹部
２７  垂下片
２７ａ  爪部
３１  載置部
３３  垂下部
３５  垂下片係合部
３７  メッシュ部材スライド防止片
３９  固定円筒部
４１  メッシュ部材外れ防止片
【図１】
2014150773.tif 000003
【図２】
2014150773.tif 000004
【図３】
2014150773.tif 000005
【図４】
2014150773.tif 000006
【図５】
2014150773.tif 000007
【図６】
2014150773.tif 000008
【図７】
2014150773.tif 000009
【図８】
2014150773.tif 000010
【図９】
2014150773.tif 000011
【図１０】
2014150773.tif 000012
【図１１】
2014150773.tif 000013
【図１２】
2014150773.tif 000014
【図１３】
2014150773.tif 000015